(57)【要約】  本発明は、ペニスを受けることができるとともに男性の性感帯を刺激するために特別に設計された中空本体を含むタイプの男性の性的刺激のための装置に関する。
2014533163.tif 000002
【特許請求の範囲】
【請求項１】
中空本体（２）を含む男性の性的刺激のための装置（１）であって、前記中空本体は、使用者のペニスを挿入するための挿入開口部（３）を備えた第１の端を含み、前記中空本体は、ハウジングを定めるインナーライニング（４）を備え、該インナーライニング内にしっかりかつ取り外し可能に挿入された、前記中空本体の前記挿入開口部を通して利用可能な、対応する弾性的に変形可能な口（６）を通してペニスを収容することを目的としたスリーブ（５）を有する、装置。
【請求項２】
前記スリーブ（５）は、概ね出口のない管形状を有し、前記スリーブの長手方向断面によって互いに結合可能な２つの半割（５ａ、５ｂ）で形成される、請求項１に記載の装置。
【請求項３】
前記スリーブ（５）は、ラテックス又はシリコンで作られ、ペニスを刺激するためのでこぼこの内面（７）を備える、請求項２に記載の装置。
【請求項４】
前記中空本体（２）の前記インナーライニング（４）は、１つの部品から形成され、概ね円錐台の形状を有し、振動モータ又は変換器を収納するのに適した少なくとも１つのハウジング（８、９、１０、１１、１２）を備える、請求項１から３のいずれかに記載の装置。
【請求項５】
前記ハウジング（８、９、１０、１１、１２）はポケットの形状であり、それぞれが前記インナーライニング（４）の外面（１３ａ）からのみ利用可能である開口部（３２、３３）を備える、請求項４に記載の装置。
【請求項６】
少なくとも２つの前記ハウジング（８、９、１０、１１）を含み、該ハウジングの１つは前記振動モータ（１６、１７）を収容し、他は前記変換器（１８、１９、２０）を収容する、請求項４又は５に記載の装置。
【請求項７】
少なくとも１つの前記変換器（１８、１９、２０）が、掛かる力の大きさに従って信号を生成することができる力センサーである、請求項４から６のいずれかに記載の装置。
【請求項８】
前記中空本体の前記インナーライニング（４）は不浸透性であり、その内面（１３ｂ）に軸方向に延びて前記インナーライニングに入り得る液体を排出するのに適した一連の溝（１４）を備える、請求項１から７のいずれかに記載の装置。
【請求項９】
前記インナーライニング（４）の前記内面（１３ｂ）は、断面において窪みがある構造の内側形状（１５）を有し、該内側形状は、その中に前記スリーブ（５）が挿入された時に僅かに変形し、さらにペニスを受けて前記インナーライニング（４）を形成する材料の弾性反応により前記スリーブ（５）が拡張した場合に、該スリーブ（５）を保持することに寄与する、請求項８に記載の装置。
【請求項１０】
前記中空本体は、プロセッサ（３０）のための支持手段並びに前記プロセッサ（３０）及び前記振動モータ及び／又は前記変換器（１６〜２０）に電気的に接続した少なくとも１つのバッテリ（２１）を収容するための手段を含み、前記装置は、前記プロセッサ（３０）によって制御される様々な動作モードに従って前記振動モータ及び前記変換器を制御するための一連のスイッチ（３９）をさらに含む、請求項４から９のいずれかに記載の装置。
【請求項１１】
１つの前記動作モードでは、前記振動モータ（１６、１７）の少なくとも１つの速度が、前記変換器（１８、１９、２０）の少なくとも１つによって生成された信号の値に従って決定される、請求項１０に記載の装置。
【請求項１２】
他の機器との無線通信を構成するための手段を含み、１つの前記動作モードにおいて、前記振動モータ（１６、１７）の速度が前記他の機器から送信された情報によって決定される、請求項１０に記載の装置。
【請求項１３】
前記少なくとも１つのバッテリ（２１）を収容するための手段及び前記プロセッサ（３０）の支持手段は、前記中空本体（２）に軸方向で結合可能な管状キャップ（２８）によって保護される前記中空本体（２）の第２の端に配置され、前記管状キャップ（２８）は、正確な結合位置にある場合、その外面は前記中空本体（２）の外面と途切れることなく接続される、請求項１０から１２のいずれかに記載の装置。
【請求項１４】
前記スイッチ（３９）は、使用者が前記装置（１）を握るのと同じ手の親指で容易に使用できるようにして、前記管状キャップ（２８）の、前記中空本体（２）と結合するための結合開口部（２８ｂ）と反対側の開口部（２８ａ）を通して使用されることができる、請求項１３に記載の装置。
【請求項１５】
前記中空本体（２）の前記インナーライニング（４）は、前記中空本体（２）から取り外し可能な構成要素であり、前記インナーライニング（４）はその口に外側突出部（２２）を含み、該外側突出部は、ガスケットのように、前記中空本体の前記挿入開口部（３）の端（２３）と、該端（２３）に付けられる第１の保持リング（２４）との間に配置され、該第１の保持リング（２４）はその外側の面に環状面（２５）を備え、該環状面の上に前記スリーブ（５）の前記口（６）の外側肩部（２６）が配置され、該外側肩部は前記第１の保持リング（２４）と、該第１の保持リング（２４）に外側から結合可能である第２の保持リング（２７）との間に配置される、請求項１から１４のいずれかに記載の装置。
【発明の詳細な説明】
【技術分野】
【０００１】
本発明は、ペニスの挿入を受けるのに適した、特にこの男性の性感帯を刺激するのに適した中空本体を含むタイプの男性の性的刺激のための装置に関する。
【背景技術】
【０００２】
男性の性的刺激を目的とした様々な装置が今日知られている。既知のタイプの装置は、一般的に片手で握れ、ペニスが挿入できる開口部を有する中空本体を基本的に含む。
【０００３】
本体内部は、この男性の性感帯を圧迫及び刺激する一連の要素が配置され、ペニスと中空本体との間での意図的な相対運動があれば、それは摩擦、したがって一定の性的快楽を促進する。
【発明の概要】
【発明が解決しようとする課題】
【０００４】
そのような装置に関する第１の欠点は、衛生状態、特に液体、例えば射精による液体がそれに入った場合の衛生状態である。
【０００５】
本発明の目的はこの欠点を解決する装置であり、その装置では、ペニスと直接接触することになる構成要素の清掃及び乾燥作業が容易にされる。
【０００６】
一方で、より良好な刺激能力を提供する装置の欠如にも注意されるべきである。この意味で、例えば対象となっている性的玩具に振動を伝達して使用者の刺激を促進することができる電気モータを組み込んだ性具のような、他のタイプの装置が知られている。
【０００７】
そのようなモータの組み込みは、いくつかの理由で複雑になることがある。最も注目すべきは、構造的な解決法はより複雑になり、したがって製造コストを増加させ、ねじなどの固定又は支持要素が必要となり、それは前述したような組み立て及び製造コストに影響するのに加えて、装置の使用との不適合の可能性をもたらし得るという事実である。
【０００８】
したがって、本発明の第２の目的は、構造的に簡単でありながら、電気モータ又は同様な組立部品を組み込むことができる装置である。
【０００９】
本発明の別の目的は、装置に予めプログラムされ得るモードを越えた、様々な動作モードが可能であるより多用途の装置である。
【課題を解決するための手段】
【００１０】
本発明の装置は、使用者のペニスを挿入するための開口部を第１の端に有する中空本体を含むタイプのものである。
【００１１】
その装置は、上記の中空本体が、ハウジングを定めるインナーライニングを備え、インナーライニング内に、中空本体の開口部を通して使用可能な、対応する弾性の変形可能な口を通してペニスを収容することを目的とする、しっかりとかつ取り外し可能に挿入されたスリーブを有することを本質的な特徴とする。
【００１２】
スリーブは、ペニスと直接接触する唯一の構成要素であるので、このスリーブの取り外しは装置の清掃を大いに促進する。さらにスリーブは、異なるサイズである又は単に以前に使用されなかった、別のタイプの性能を提供する他の物と容易に交換可能な消耗品の構成部材になる。
【００１３】
本発明の１つの変形では、スリーブは、概ね出口のない管形状を有し、スリーブの長手方向断面によって互いに結合可能な２つの半割で形成される。
【００１４】
有利なことに、スリーブの２つの半割は分離されることができるので、スリーブの底部に接近可能であり、清掃作業を促進する。
【００１５】
スリーブは、好ましくはラテックス又はシリコンで作られ、ペニスを刺激するためのでこぼこの内面を備える。
【００１６】
本発明の別の特徴によれば、中空本体のインナーライニングは１つの部品から形成され、概ね円錐台の形状を有し、振動モータ又は変換器要素を収納するのに適した少なくとも１つのハウジングを有する。
【００１７】
インナーライニングでのモータのハウジングは、モータが管状の中空本体などの装置の堅い要素と直接接触することを防ぎ、伝達される刺激がこの中空本体によって弱められずにスリーブ、従って使用者のペニスにより大きな程度で到達することを確実なものにする。
【００１８】
一実施形態によれば、上記のハウジングはポケットの形状であり、インナーライニングの外面からのみ利用できる開口部をそれぞれが備える。
【００１９】
この特徴は、適切な場合には、ねじ若しくは補助要素を使用せずに振動モータ又は変換器を支持することができる。この方法は、構成要素の組み立てを容易にし、故障の場合にそれらにアクセスすることを容易にする。
【００２０】
一方で、その開口部はインナーライニングの外面からのみ利用可能であるという事実は、スリーブの内側から漏れ出したいかなる液体も振動モータ又は変換器要素に到達し得ないことを確実なものにする。
【００２１】
興味深い１つの変形では、インナーライニングが少なくとも２つのハウジングを含み、その１つが振動モータを収容し、他は変換器を収容する。
【００２２】
好ましい実施形態では、少なくとも１つの変換器が、それに掛かる力の大きさに従って信号を生成することができる力センサーである。
【００２３】
本発明の別の特徴によれば、中空本体のインナーライニングは不浸透性であり、その内面に軸方向に延びる一連の溝を備え、インナーライニングに入り得る液体を排出するのに適したそれぞれの経路を定める。
【００２４】
興味深い変形によれば、インナーライニングの内面は、断面において窪みがある構造の内側形状を有し、それはスリーブがその中に挿入された時に僅かに変形し、さらにペニスを受けてインナーライニングを形成する材料の弾性反応によりスリーブが拡張した場合に、スリーブを保持することに寄与する。
【００２５】
本発明の装置の別の態様によれば、中空本体は、プロセッサのための支持手段並びにプロセッサ及び振動モータ及び／又は変換器に電気的に接続した少なくとも１つのバッテリを収容するための手段を含む。装置は、プロセッサによって制御される様々な動作モードに従って上記のモータ及び変換器を制御するための一連のスイッチを更に含む。
【００２６】
１つの動作モードでは、振動モータの少なくとも１つの速度が、変換器の少なくとも１つによって生成された信号の値に従って決定される。
【００２７】
装置は、他の機器との無線通信を構成するための手段を含み、１つの動作モードにおいて、振動モータの速度が他の機器から送信された情報によって決定されるようにすることも考えられる。そのような機器は、例えば同様の特徴を有する装置、パソコン、携帯電話、タブレットなどにすることができる。
【００２８】
一実施形態によれば、少なくとも１つのバッテリを収容するための手段及びプロセッサを収容するための手段は、中空本体に軸方向で結合可能な管状キャップによって保護される中空本体の第２の端に配置される。管状キャップは、正確な結合位置にある場合、その外面は中空本体の外面と途切れることなく接続される。
【００２９】
この実施形態では、スイッチは、使用者が装置を握るのと同じ手の親指で容易に使用できるようにして、上記の管状キャップの、中空本体と結合するための結合開口部と反対側の開口部を通して好ましくは使用されることができる。
【００３０】
漏入耐性を確実にする構造的な形状によれば、中空本体のインナーライニングは中空本体から取り外しできる又はできない構成要素であるので、インナーライニングはその口に外側突出部を含み、それはガスケットのように、中空本体の開口部の端と、この端に付けられる第１の保持リングとの間に配置される。第１の保持リングはその外側の面に環状面を備え、その上にスリーブの外側肩部が配置され、それは第１の保持リングと、第１の保持リングに外側から結合可能である第２の保持リングとの間に配置される。
【図面の簡単な説明】
【００３１】
【図１】本発明の装置の一実施形態の分解図である。
【図２】構成要素が適切に組み立てられた図１の装置の長手方向断面図である。
【図３】図２に記載された装置の図２に示されたＡ−Ａ切断線での断面図である。
【発明を実施するための形態】
【００３２】
図１は、一方が他方の内側に収まる３つの主要な構成要素を含む装置１を構造的に示す。最も外側の構成要素は、使用者によって握られることを目的とした中空本体２であり、中間の構成要素は、一体成形の内側本体であって中空本体２のインナーライニング４を形成してハウジングを定める。ハウジングには、スリーブ５によって形成された第３の構成要素がしっかりとかつ取り外し可能に挿入される。スリーブ５は、対応する弾性的に変形可能な口６を通してペニスを受けることを目的とする。口６は、中空本体２の開口部３を通して利用される。
【００３３】
スリーブ５に関し、図１に見られるように、それは概ね出口のない管形状を有し、スリーブ５の長手方向断面によって互いに結合可能な２つの半割５ａ、５ｂで形成される。
【００３４】
スリーブ５は、ラテックス又はシリコンなどの可撓性材料で作られ、ペニスの形状に適合され、わずかにペニスを圧迫し、ペニスを刺激するためのでこぼこの内面７を備える。
【００３５】
２つの半割５ａ、５ｂは、相補的な結合手段３４、３５をそれぞれが備える。記載の実施形態では、それはスリーブ５の半割の一方に配置されたかぎ形の一連の爪と、他方の半割に配置されて爪と協働する凹みとによって形成され、凹みは、スリーブ５の２つの半割５ａ、５ｂが互いに付けられた時に爪を保持する。図１は、スリーブ５の２つの半割５ａ、５ｂを、それらが互いに結合する前の向き合った位置で示す。
【００３６】
スリーブ５の２つの半割５ａ、５ｂの脱着可能な結合の他の手段が当然に検討される。例えば、スリーブ５を中空本体２の内部、より具体的には中空本体２のインナーライニング４が定めているハウジングの内部に挿入する操作が行われる間に、２つの半割５ａ、５ｂを適切に隣接したままに維持するのに十分な、協働して２つの半割５ａ、５ｂを組み合わせて保持することを目的とする、一方の半割に突起を備え、他方の半割に対応する凹みを備えた２つの半割を提供することなどである。
【００３７】
中空本体２のこのインナーライニング４に関して、記載された変形では、それはまた例えばシリコンなどの不浸透性の１つの部品から形成され、概ね円錐台の形状を有する。
【００３８】
インナーライニング４を形成する本体は、中空本体２の内側にその開口部３を通して差し込まれ、中空本体２にしっかりと保持される。スリーブ５は装置１から取り外し可能な構成要素であるが、インナーライニング４は、装置１を再使用するために扱われてはならない構成要素である。
【００３９】
インナーライニング４は、中空本体２に取り外せないようにして保持されるか、又は取り外し可能にされことができる。いずれにしても、インナーライニングの外面は、中空本体２の内面と一緒に漏入のない室又は区画を形成することが望ましい。これを達成する１つの方法は、以下に詳細に記載される。
【００４０】
図３に示されるように、インナーライニング４は、その内面１３ｂに軸方向に延びる一連の溝１４を効果的に提供する。一連の溝１４は、スリーブ５が中空本体２の内部に挿入された場合に、スリーブ５に入ってスリーブ５の外に漏出する液体を排出するのに適したそれぞれの経路を定める。
【００４１】
インナーライニング４の内面１３ｂは、断面において窪みがある構造の内側形状１５を有することが更に分かる。インナーライニング４は可撓性材料で作られるので、この構造は、スリーブ５がインナーライニング４内に挿入された時にインナーライニング４が僅かに変形することを可能にし、さらにペニスを受けてインナーライニング４を形成する材料の弾性反応によりスリーブ５が拡張した場合に、スリーブ５を保持することに寄与する。
【００４２】
この特有な構造は、既知の装置の他の欠点を解消することがさらに指摘される。溝１４は、既知の装置で生じてスリーブ５を取り外すことを困難にする状況である、中空本体２の内部からスリーブ５を外すことを妨げる真空作用が生じるのを避ける。
【００４３】
図３の例では、２つの直径方向で対向する凹部３７が、インナーライニング４の内側形状１５に見られる。その目的は、スリーブ５の半割５ａ、５ｂの結合を容易にするために、フランジのように作用するスリーブ５のそれぞれの半割５ａ、５ｂの並べられた長手方向の肩部３８を収容することである。
【００４４】
本発明の装置１の別の態様によれば、ペニスの刺激を増大させ、さらに装置１の様々な使用方法を可能にするために、装置は一連の振動モータ及び変換器、具体的には力センサーを組み込む。
【００４５】
実施形態では、インナーライニング４を形成する本体は５つのハウジングを備える。図１には、その中のハウジング８、９のみが見られる。５つすべてのハウジング８、９、１０、１１、１２は、図２に見られる。
【００４６】
これらのハウジング８、９、１０、１１、１２は、インナーライニング４を形成する本体に一体的に形成され、ポケットの形状であり、それぞれが開口部（ハウジング８、９に対応する開口部３２、３３のみが、図２に見られる）を備える。開口部は、インナーライニング４の外面１３ａから、すなわちインナーライニング４の外面１３ａと中空本体２の内面とによって形成される漏入のない区画からのみ利用可能である。ハウジング８、９の寸法はそれぞれ、インナーライニング４を支援するためのねじなどの補助要素を必要としない、振動モータ１６、１７を緊密に収容するのに適した寸法である。同様に、ハウジング１０、１１、１２の寸法は望ましくは、実施形態では掛かる力の大きさに従って信号を生成することができる力センサーによって形成されている、変換器１８、１９、２０の寸法に従って選択される。
【００４７】
図３では、インナーライニング４が、中空本体２の内面に直接置かれた長手方向のリブ３６を備えることが見られる。その目的は、整列してハウジング１０〜１２に収容された力センサーの望ましくない動きを防止することである。
【００４８】
図１、２に戻って、中空本体２は、その遠位端にプロセッサ３０のための支持手段並びにプロセッサ３０及び振動モータ及び／又は変換器１６〜２０に電気的に接続した少なくとも１つのバッテリ２１を収容するための手段を備える。装置１は、プロセッサ３０によって制御される様々な動作モードに従って上記のモータ及び変換器を制御するための一連のスイッチ３９をさらに含む。いくつかの動作モードは、以下で例として説明される。
【００４９】
可能な動作モードでは、振動モータ１６、１７の少なくとも１つの速度が、変換器１８、１９、２０の少なくとも１つによって生成された信号の値に従って決定される。この動作モードは、力、リズム、又はペニスを通じて力センサーによって生成される信号を変える他の要素に従って振動モータの回転速度がそれと調和するようにして、一定の使用者の相互作用を可能にする。したがって、例えば、限定でない想定においては、センサーによってより大きな力が捉えられると、振動モータの回転速度がより大きくなる。逆もまた同様である。この相互作用モードは、最終的にはプロセッサ３０に保存されたアルゴリズムによってなされる。
【００５０】
別の動作モードでは、装置１は他の機器との無線通信を構成するための手段を含み、振動モータ１６、１７の速度が、この他の機器から送信された情報によって決定されることが考えられる。それはまた、類似の装置、すなわち他の男性又は女性用の性的刺激機器に組み込まれた変換器によって生成された信号と関連付けられることができる。
【００５１】
少なくとも１つのバッテリ２１を収容するための手段及びプロセッサ３０を収容するための手段は、中空本体２に軸方向で結合可能な管状キャップ２８によって保護される、中空本体２の第２の端に配置されることが見られる。
【００５２】
管状キャップ２８の外面の構成は、それが中空本体２との正確な結合位置にある場合、その外面は途切れることなく中空本体２の外面と接続するようにされ、それは装置１の人間工学を増大させる。
【００５３】
スイッチ３９は、使用者が装置１を握るのと同じ手の親指で容易に使用できるようにして、この管状キャップ２８の、中空本体２と結合するための開口部２８ｂと反対側の開口部２８ａを通して使用されることができる。
【００５４】
装置１、特に中空本体２の内面とインナーライニング４の外面とによって定められる室の漏入耐性を確実にするために、したがって振動モータ１６、１７をいずれの液体からも隔離するために、インナーライニング４は、その口に外側突出部２２を含む。それはガスケットのように、中空本体２の開口部３の端２３と、この端２３に付けられる第１の保持リング２４との間に配置される。
【００５５】
続いて、スリーブ５をその動作位置に保持するために、第１の保持リング２４はその外側の面に環状面２５を備える。その上にスリーブ５の口６の外側肩部２６が配置され、それは第１の保持リング２４と、第１の保持リング２４に外側から結合可能である第２の保持リング２７との間に配置される。
【００５６】
最後に装置１は、中空本体２の内部、したがってスリーブ５に入ることを閉ざす外側の取り外し可能なカバー２９を含み、装置１が使用されない時にスリーブ５を保護する。
【符号の説明】
【００５７】
１      男性の性的刺激のための装置
２      中空本体
３      中空本体の開口部
４      インナーライニング
５      スリーブ
５ａ、５ｂ  スリーブの半割
６      スリーブの口
７      スリーブの内面
８、９、１０、１１、１２  ハウジング
１３ａ  インナーライニングの外面
１３ｂ  インナーライニングの内面
１４    インナーライニングの溝
１５    インナーライニングの内側形状
１６、１７  振動モータ
１８、１９、２０  変換器
２１    バッテリ
２２    インナーライニングの外側突出部
２３    中空本体の開口部の端
２４    第１の保持リング
２５    第１の保持リングの環状面
２６    スリーブの外側肩部
２７    第２の保持リング
２８    管状キャップ
２８ｂ  管状キャップの開口部
２９    カバー
３０    プロセッサ
３２、３３  インナーライニングのハウジング開口部
３４、３５  スリーブの半割の結合手段
３６    インナーライニングのリブ
３７    インナーライニングの凹部
３８    スリーブの肩部
３９    スイッチ
【図１】
2014533163.tif 000003
【図２】
2014533163.tif 000004
【図３】
2014533163.tif 000005
【国際調査報告】
2014533163.tif 000006
2014533163.tif 000007
2014533163.tif 000008
2014533163.tif 000009
2014533163.tif 000010
2014533163.tif 000011